(57)【要約】【課題】この発明はダブルクッションタイプのジョブスプリングユニットの一端部と他端部とを上方へ屈曲させることができるようにしたマットレス装置を提供することにある。【解決手段】ボトムスプリングユニット８上に設けられた折り曲げ可能な上部スプリングユニット９と、この上部スプリングユニットの幅方向両側に保持された一対の固定杆状部材２３と、各固定杆状部材の両端部にそれぞれ取付けられたヒンジ機構２４と、各ヒンジ機構に連結されるとともに上部スプリングユニットの一端部と他端部との外周部に一体的に設けられヒンジ機構によって回動上昇させることで上部スプリングユニットの一端部と他端部とをそれぞれ屈曲上昇させる一対の可動杆状部材２２と、ボトムスプリングユニットと上部スプリングユニットクッション体とを被覆した外装地４４とを具備する。【選択図】    図４
2004261241.tif 000002
【特許請求の範囲】
【請求項１】
長手方向の一端部の上面に頭部を位置させて利用者が利用するマットレス装置において、
ボトムクッション体と、
このボトムクッション体上に設けられた折り曲げ可能な上部クッション体と、
この上部クッション体の長さ寸法よりも短く形成され上記上部クッション体の幅方向両側に保持された一対の固定杆状部材と、
回動可能かつ所定の回動角度で保持可能に連結された一対の取付け部を有し、一方の取付け部が各固定杆状部材の両端部にそれぞれ取付けられた複数のヒンジ機構と、
各ヒンジ機構の他方の取付け部に連結されるとともに上記上部クッション体の一端部と他端部との外周部に一体的に設けられ上記ヒンジ機構によって回動上昇させることで上記上部クッション体の一端部と他端部とをそれぞれ屈曲上昇させる一対の可動杆状部材と、
上記ボトムクッション体と上記上部クッション体とを被覆した外装地と
を具備したことを特徴とするマットレス装置。
【請求項２】
上記上部クッション体はスプリングユニットであって、上記固定杆状部材と可動杆状部材とは、上記スプリングユニットの周辺部に位置するばね体のコイル部に保持手段によって一体的に保持されていることを特徴とする請求項１記載のマットレス装置。
【請求項３】
上記上部クッション体は発泡弾性体であって、上記固定杆状部材と上記可動杆状部材とは、上記発泡弾性体の外周部に形成された保持溝に挿入保持されていることを特徴とする請求項１記載のマットレス装置。
【請求項４】
上記保持手段は、上記スプリングユニットの下面若しくは上面に周辺部を上記スプリングユニットの周辺部から延出させて設けられた保持布であって、この保持布は周辺部が上記固定杆状部材及び可動杆状部材に巻回されるとともに、その巻回部分が上記スプリングユニットの周辺部にクリップで連結固定されていることを特徴とする請求項２記載のマットレス装置。
【請求項５】
上記ヒンジ機構によって連結された固定杆状部材と可動杆状部材は、上記スプリングユニットの平面形状よりも小さな矩形枠状をなしていて、これらの杆状部材は上記スプリングユニットの周辺部に位置するばね体のコイル部の巻き線間に挿入保持されていることを特徴とする請求項２記載のマットレス装置。
【請求項６】
上記外装地は、上記ボトムクッション体と上部クッション体とを一体的に被覆するとともに、上記上部クッション体の上記可動杆状部材によって上方へ屈曲される部分は上記ボトムクッション体と別々に被覆していることを特徴とする請求項１記載のマットレス装置。
【請求項７】
上記上部クッション体の上記可動杆状部材によって上方へ屈曲される一端部と他端部とは、異なる長さ寸法に設定されていることを特徴とする請求項１記載のマットレス装置。
【発明の詳細な説明】
【０００１】
【発明の属する技術分野】
この発明はベッドなどに用いられるダブルクッションタイプのマットレス装置に関する。
【０００２】
【従来の技術】
たとえば、ベッドに用いられるマットレス装置にはシングルクッションタイプとダブルクッションタイプとがあり、クッション性能の点でダブルクッションタイプがシングルクッションタイプよりも優れている。ダブルクッションタイプのマットレス装置は、それぞれ外装地によって被覆されたボトムクッション体の上面に上部クッション体を載置して構成されている。
【０００３】
上部クッション体の上面に仰臥した利用者は、仰臥した姿勢で読書をしたり、テレビを見ることがある。その場合、頭部を水平状態よりもわずかに持ち上げた状態の方が楽に読書をしたり、テレビを見ることができる。また、足部に疲れを感じた場合などには、仰臥した状態で足部を高く保持することで、血行をよくして疲れを早期に取り除くことができるということがある。
【０００４】
従来のダブルクッションタイプのマットレス装置では、利用者の頭部を上げたり、足部を上げた状態で保持するということができない。そのため、利用者が頭部や足部を上げるためには、座布団を折り畳んで頭部や足部に挟むということを行なっていたため、安定性が悪く、疲れ易いということがあった。
【０００５】
【発明が解決しようとする課題】
マットレス装置が用いられるベッドには、マットレス装置を載置した床板を複数に分割し、利用者の上半身に対応する部分を起伏駆動できるようにした、いわゆる起床式ベッドが知られている。起床式ベッドによれば、床板の一部を起上させることで、利用者の上半身を起こしたり、脚部を持ち上げて保持することが可能である。
【０００６】
しかしながら、起床式ベッドの場合、床板の一部を起伏駆動するために駆動機構が必要となるから、この駆動機構をベッドに組み込むためには構成の複雑化やコスト上昇、さらにはベッドの大型化などを招くということがある。
【０００７】
起床式ベッドの場合、床板上には１つのクッション体が載置される、いわゆるシングルクッションタイプである。そのため、床板の一部とともにクッション体を屈曲することが可能である。
【０００８】
しかしながら、マットレス装置がダブルクッションタイプの場合には、クッション体がボトムクッション体と上部クッション体との二層構造であるから、シングルクッションタイプの起床式ベッドのように床板を起伏させて上部クッション体を上方へ屈曲させるということは構造的に困難である。
【０００９】
この発明は、簡単な構造で少なくとも利用者の頭部と足部とを持ち上げることができるようにしたダブルクッションタイプのマットレス装置を提供することにある。
【００１０】
【課題を解決するための手段】
この発明は、長手方向の一端部の上面に頭部を位置させて利用者が利用するマットレス装置において、
ボトムクッション体と、
このボトムクッション体上に設けられた折り曲げ可能な上部クッション体と、
この上部クッション体の長さ寸法よりも短く形成され上記上部クッション体の幅方向両側に保持された一対の固定杆状部材と、
回動可能かつ所定の回動角度で保持可能に連結された一対の取付け部を有し、一方の取付け部が各固定杆状部材の両端部にそれぞれ取付けられた複数のヒンジ機構と、
各ヒンジ機構の他方の取付け部に連結されるとともに上記上部クッション体の一端部と他端部との外周部に一体的に設けられ上記ヒンジ機構によって回動上昇させることで上記上部クッション体の一端部と他端部とをそれぞれ屈曲上昇させる一対の可動杆状部材と、
上記ボトムクッション体と上記上部クッション体とを被覆した外装地と
を具備したことを特徴とするマットレス装置にある。
【００１１】
上記上部クッション体はスプリングユニットであって、上記固定杆状部材と可動杆状部材とは、上記スプリングユニットの周辺部に位置するばね体のコイル部に保持手段によって一体的に保持されていることが好ましい。
【００１２】
上記上部クッション体は発泡弾性体であって、上記固定杆状部材と上記可動杆状部材とは、上記発泡弾性体の外周部に形成された保持溝に挿入保持されていることが好ましい。
【００１３】
上記保持手段は、上記スプリングユニットの下面若しくは上面に周辺部を上記スプリングユニットの周辺部から延出させて設けられた保持布であって、この保持布は周辺部が上記固定杆状部材及び可動杆状部材に巻回されるとともに、その巻回部分が上記スプリングユニットの周辺部にクリップで連結固定されていることが好ましい。
【００１４】
上記ヒンジ機構によって連結された固定杆状部材と可動杆状部材は、上記スプリングユニットの平面形状よりも小さな矩形枠状をなしていて、これらの杆状部材は上記スプリングユニットの周辺部に位置するばね体のコイル部の巻き線間に挿入保持されていることが好ましい。
【００１５】
上記外装地は、上記ボトムクッション体と上部クッション体とを一体的に被覆するとともに、上記上部クッション体の上記可動杆状部材によって上方へ屈曲される部分は上記ボトムクッション体と別々に被覆していることが好ましい。
【００１６】
上記上部クッション体の上記可動杆状部材によって上方へ屈曲される一端部と他端部とは、異なる長さ寸法に設定されていることが好ましい。
【００１７】
この発明によれば、可動杆状部材を所定の角度で起立させれば、この可動杆状部材によって上部クッション体の一端部と他端部とを上方へ屈曲させることができるから、それによって利用者の頭部や足部を持ち上げて保持することが可能となる。
【００１８】
【発明の実施の形態】
以下、図面を参照しながらこの発明の実施の形態を説明する。
【００１９】
図１乃至図９はこの発明の第１の実施の形態を示す。図１はマットレス装置１をベッド２の基台３上に載置した状態を示す斜視図である。このマットレス装置１は、上記ベッド２のヘッドボード４側に位置する長手方向の一端部１ａと、他端部１ｂとを後述するように所定の角度で上昇させて保持することができるようになっている。
【００２０】
上記マットレス装置１は、図２に示すようにボトムクッション体としての平面形状が矩形状のボトムスプリングユニット８上に上部クッション体としての上部スプリングユニット９を重合載置して構成されている。
【００２１】
各スプリングユニット８，９は、図４（ａ）〜（ｃ）に示すようにコイルスプリング１１が行列状に配置されている。各スプリングユニット８，９の長手方向に沿って隣り合うコイルスプリング１１の上下端面は、それぞれヘリカル線１２によって幅方向に連結されている。
【００２２】
上記ボトムスプリングユニット８の下面の周縁部には、線材を矩形枠状に形成した下部枠線１３が周辺部に位置するコイルスプリング１１の下端面にクリップ１４によって連結固定されている。ボトムスプリングユニット８の上面の周縁部には上部枠線１５が設けられている。この上部枠線１５は、ボトムスプリングユニット８の両端部に設けられる一対のコ字状部１５ａに分割されている。これらコ字状部１５ａはクリップ１６によってボトムスプリングユニット８の長手方向両端部に位置するコイルスプリング１１の上端面に連結されている。
【００２３】
上記上部スプリングユニット９の下面周縁部には下部枠線１８が設けられ、上面周縁部には上部枠線１９が設けられている。下部枠線１８は上部スプリングユニット９の長手方向両端部に設けられた一対のコ字状部１８ａと、幅方向両側に設けられた一対の直杆部１８ｂとに分割されている。これらコ字状部１８ａと直杆部１８ｂとは上部スプリングユニット９の周縁部に位置するコイルスプリング１１の下端面に図示しないクリップで連結固定されている。
【００２４】
上記上部枠線１９は上部スプリングユニット９の長手方向両端部にクリップ２１によって連結固定された一対のコ字状部１９ａ及び上部スプリングユニット９の幅方向両側クリップ２１によって固定された一対の直杆部１９ｂに分割されている。
【００２５】
上部スプリングユニット９の上下面周縁に設けられる下部枠線１８と上部枠線１９とをそれぞれ３つの部分に分割することで、この上部スプリングユニット９の長手方向の一端部と他端部とを上方へ屈曲させることができるようになっている。
【００２６】
上記上部スプリングユニット９の外周部には、その上部枠線１９の一対のコ字状部１９ａと対応する長手方向両端部にパイプ材をコ字状に曲成した一対の可動杆状部材２２と、直杆部１９ｂに対応する幅方向両側の中途部に同じくパイプ材によって形成された直杆状の一対の固定杆状部材２３が後述する保持手段によって上記上部スプリングユニット９に一体的に保持されている。
【００２７】
上部スプリングユニット９の長手方向一端部に設けられた可動杆状部材２２の長手方向に沿う長さ寸法は、他端部に設けられた可動杆状部材２２の長手方向に沿う長さ寸法よりも短く設定されている。
【００２８】
上記一対の可動杆状部材２２の両端は、上記固定杆状部材２３の両端にそれぞれヒンジ機構２４によって回動可能かつ所定の回動角度で保持可能に連結されている。
【００２９】
ヒンジ機構２４によって連結された上記可動杆状部材２２と固定杆状部材２３とは、上記上部スプリングユニット９の平面形状よりもわずかに小さな矩形枠状をなしている。それによって、上部スプリングユニット９の外周部に設けられた可動杆状部材１２と固定杆状部材２３とは、図３と図７に示すように上部スプリングユニット９の周辺部に位置するコイルスプリング１１のばね部の軸方向中途部、この実施の形態では下端部の螺旋状の巻き線１１ａ間に入り込み、この上部スプリングユニット６に一体的に保持されている。
【００３０】
上記ヒンジ機構２４は図６に示すように一端が枢軸２６によって枢着された、取付け部としての第１のアーム２７と第２のアーム２８を有する。第１のアーム２７の他端は上記可動杆状部材２２の端部に嵌入固定され、第２のアーム２８の他端は上記固定杆状部材２３の端部に嵌入固定されている。
【００３１】
第１のアーム２７の一端には歯２９が形成され、第２のアーム２８の一端には上記歯２９に係合するストッパ３１がピン３２によって枢支されている。このストッパ３２はばね３３によって上記歯２９に係合する方向に付勢されている。
【００３２】
上記枢軸２６にはカム板３４が回動可能に取付けられている。このカム板３４の外周面には周方向に所定の角度で凹部３５と凸部３６とが形成されている。上記凸部３６の上記枢軸２６からの半径寸法は、上記歯２９の枢軸２６からの半径寸法よりも大きく形成されている。上記第１のアーム２７の一端には、上記歯２９に上記ストッパ３１が係合した状態において、上記凹部３５に位置する係合体３７が設けられている。
【００３３】
それによって、上記歯２９と上記ストッパ３１との係合によって第１のアーム２７を第２のアーム２８に対して所定の回動角度で保持することができる。上記第１のアーム２７を図６に矢印で示す方向に回動させ、この回動にカム板３４をその凹部３５の一端に当接する係合体３７によって連動させれば、このカム板３４の凸部３６に上記ストッパ３１が乗り上げて歯２９との係合が外れる。それによって、上記第１のアーム３７を矢印と逆方向に自由に回動させることができる。
【００３４】
上記第１のアーム２７の矢印と逆方向の回動は上記係合体３７が凹部３５の他端に当接してカム板３４を回動させ、上記ストッパ３１がカム板３４の凸部３６から外れて歯３９に係合するまで、すなわち第１のアーム２７が第２のアーム２８に対してほぼ水平な状態になるまで回動させることができる。
【００３５】
したがって、上記可動杆状部材２２は、上記ヒンジ機構２４により、上記固定杆状部材２３に対して所定の角度で起立した状態で保持可能であるとともに、起立した状態から水平に倒伏させることができるようになっている。
【００３６】
図２に示すようにボトムスプリングユニット８と上部スプリングユニット９との上下面には、それぞれこれらスプリングユニット８，９の平面形状よりも大きく形成されたフェルト４１が重合されている。各フェルト４１の周辺部はスプリングユニット８，９の上下面周縁部に設けられた枠線１３，１５及び１８，１９を巻き込み、クリップ４２（一部を図５に示す）によって固定されている。
【００３７】
ボトムスプリングユニット８の下面と、上部スプリングユニット９の上面とにはそれぞれウレタンフォームなどの弾性シート４３が重合されている。各弾性シート４３は、外装地４４を構成する下部鏡地４５と上部鏡地４６とによってそれぞれ被覆されている。各鏡地４５，４６は裏地４５ａ，４６ａと表地４５ｂ、４６ｂとの間に弾性シート４５ｃ、４６ｃを介在させ、これらをキルティングした３層構造となっている。各鏡地４５，４６のキルティングは図１に示すように幅方向に沿って形成されている。
【００３８】
各裏地４５ａ，４６ａの周辺部にはフランジ布４７が幅方向の一端部を逢着して設けられている。これらフランジ布４７の他端部は、上記弾性シート４３の周辺部を巻き込んで各スプリングユニット８，９の周辺部に位置するコイルスプリング１１にクリップ４８によって連結固定されている。
【００３９】
上記上部スプリングユニット９の下面に設けられたフェルト４１には、このスプリングユニット９の平面形状よりも大きなく矩形状に形成された保持手段を構成する保持布５１が重合されている。
【００４０】
上記保持布５１の上部スプリングユニット９の外周面から外方へ突出した周辺部は、図２、図３、図５及び図７に示すように可動杆状部材２２と固定杆状部材２３とにこれらの内周側から外周側に向かって巻かれて上部スプリングユニット９の下面の周辺部に戻されている。
【００４１】
図５に示すように、上記保持布５１の各杆状部材２２，２３の内周側に向かう部分はクリップ５２によって上記フェルト４１の端部とともに下側の枠線１８に連結固定され、内周側から外周側に折り曲げられた部分はクリップ５３によって内周側に向かう部分ととともに上記枠線１８に連結固定されている。それによって、可動杆状部材２２と固定杆状部材２３とは、上記保持布５１の周辺部よって上部スプリングユニット９に一体的に保持されている。
【００４２】
図７及び図４（ｃ）に示すように、重合されたボトムスプリングユニット８と上部スプリングユニット９との両側の長手方向中途部は、ボトムスプリングユニット８のコイルスプリング１１の上端面と、上部スプリングユニット９の下部枠線１８の直杆部１８ｂとがクリップ５４によって一対のフェルト４１及び保持布５１とともに連結されている。それによって、上部スプリングユニット９の両側の長手方向中途部は上記ボトムスプリングユニット８に連結される。
【００４３】
上記可動杆状部材２２と固定杆状部材２３とが上部スプリングユニット９に一体的に保持されていることで、可動杆状部材２２を固定杆状部材２３に対して所定の角度で回動させれば、その回動に上部スプリングユニット９の可動杆状部材２２に対応する一端部と他端部とを図４（ｃ）に鎖線で示すように所定の角度で屈曲上昇させることができる。
【００４４】
上部スプリングユニット９の長手方向一端部に設けられた可動杆状部材２２は他端部に設けられた可動杆状部材２２よりも長さ寸法が短くなっているから、これら可動杆状部材２２の長さ寸法の差に応じて上部スプリングユニット９の一端部と他端部との上方へ屈曲される部分の長さ寸法も異なってきる。
【００４５】
しかも、保持布５１の周辺部が各杆状部材２２，２３に巻回されていることで、各杆状部材２２，２３とコイルスプリング１１とがぶつかり合って金属音が発生するが防止されている。
【００４６】
さらに、可動杆状部材２２は、上部スプリングユニット９の三方を囲むほぼコ字状となっている。そのため、上部スプリングユニット９は可動杆状部材２２によって幅方向に捩れるのが防止される。とくに、可動杆状部材２２を上昇させて上部スプリングユニット９の一端部と他端部とを上方へ屈曲させた場合、上部スプリングユニット９の屈曲された部分は幅方向に捩れ易くなるが、コ字状の上記可動杆状部材２２によって幅方向に捩れるのが防止される。
【００４７】
なお、可動杆状部材２２と固定杆状部材２３とは上部スプリングユニット９の周辺部に位置するコイルスプリング１１の巻き線１１ａ間に係合している。そのため、保持布５１を用いなくても、これら杆状部材２２，２３は上部スプリングユニット９に一体的に係合保持されるから、上部スプリングユニット９の可動杆状部材２２に対応する一端部と他端部とを、可動杆状部材２２の回動に連動させて折り曲げることが可能である。
【００４８】
上記外装地４４は、上記各鏡地４５，４６の他に、図８（ａ）〜（ｃ）及び図２に示すようにボトムスプリングユニット８の長手方向両端部の上面を覆う一対の補助上鏡地５５と、ボトムスプリングユニット８の長手方向両端部の三方の外周面を覆う下部まち地５６を有する。下部まち地５６は、上端が補助上鏡地５５の周縁部の三辺に縫合され、下端が図２に示すように上記下部鏡地４５の周縁に下部テープエッジ５７によって縫合されている。
【００４９】
さらに、外装地４４は、上部スプリングユニット９の長手方向両端部の下面を覆う一対の補助下鏡地５８と、上部スプリングユニット９の長手方向両端部の三方の外周面を覆う上部まち地５９を有する。上部まち地５９は、下端が補助下鏡地５８の三辺に縫合され、上端が図２に示すように上記上部鏡地４６の周縁部に上部テープエッジ６０によって縫合されている。
【００５０】
図８（ａ）に示すように、重合された補助上鏡地５５と補助下鏡地５８とのまち地５６，５９が縫合されていない一端部は第１の縫合線６２によって縫合されている。
【００５１】
第１の縫合線６２によって縫合された一対の補助上鏡地５５と補助下鏡地５８との一端部には図８（ｂ）に示すように連結布６３の一端部と他端部とがそれぞれ第２の縫合線６４によって連結されている。つまり、各一対の補助上鏡地５５と補助下鏡地５８とは連結布６３によって連結されている。
【００５２】
図８（ｂ）に示すように、上記連結布６３の幅方向両端には、中間まち地６５の高さ方向中途部が縫合されている。一対の中間まち地６５の長さ方向一端と他端とは、それぞれ上記下部まち地５６と上部まち地５６との端部に縫合されている。
【００５３】
図８（ｃ）に示すように、一対の補助上鏡地５５と下部まち地５６とがなす空間部にはボトムスプリングユニット８が収容された後、その下面が下部鏡地４５によって被覆され、この下部鏡地４５の周縁部と上記下部まち地５６の下端及び中間まち地６５の下端とが上記下部テープエッジ６０によって縫合される。
【００５４】
一対の補助下鏡地５８と上部まち地５９とがなす空間部には上記上部スプリングユニット９が収容される。この上部スプリングユニット９の上面は上記上部鏡地４６によって被覆され、この上部鏡地４６の周縁部と上記上部まち地５９の上端及び中間まち地６５の上端とが上記上部テープエッジ６０によって縫合される。
【００５５】
このように、上記ボトムスプリングユニット８と上部スプリングユニット９とは外装地４４によって一体的に被覆されている。上部スプリングユニット９の一端部と他端部、つまり可動杆状部材２２とともに上方へ屈曲される両端部分は、補助下鏡地５８と補助上鏡地５５とによって上記ボトムスプリング８と別々に被覆されている。
【００５６】
それによって、上部スプリングユニット９の一端部と他端部とを上方へ屈曲させても、ボトムスプリングユニット８の上面が露出したり、上部スプリングユニット９の下面が露出することがない。
【００５７】
なお、外装地４４の各収容部に収容される上記ボトムスプリングユニット８と上部スプリングユニット９との上下面には、予めフェルト４１、弾性シート４３及び保持布５１が重合されて各スプリングユニット８，９に取付けられている。
【００５８】
上記構成のマットレス装置１によれば、上部スプリングユニット９の上部スプリングユニット９の外周部に、一対の可動杆状部材２２と固定杆状部材２３とを、コイルスプリング１１の巻き線１１ａ間に係合させて設け、これら杆状部材２２，２３を保持布５１によって上記上部スプリングユニット９に一体的に保持するようにした。上記可動杆状部材２２と固定杆状部材２３とはヒンジ機構２４によって回動可能かつ所定の回動角度で保持可能に連結されている。
【００５９】
そのため、一対の上記可動杆状部材２２を固定杆状部材２３に対して図４（ｃ）に実線で示す状態から鎖線で示すように上昇方向に回動させて所定の角度で保持すれば、この可動杆状部材２２の回動に上部スプリングユニット９の上記可動杆状部材２２に対応する両端部を鎖線で示すように連動させ、屈曲させることができる。
【００６０】
上部スプリングユニット９の一端部を可動杆部材２２によって屈曲させれば、図１に示すようにマットレス装置１の一端部１ａと他端部１ｂとを所定の角度で上昇させて保持することができる。
【００６１】
それによって、図９に示すように、マットレス装置１の上面に仰臥した利用者Ｕは頭部と足部とをわずかに持ち上げた姿勢を楽に維持することができるから、仰臥した状態で読書をしたり、テレビを見るなどのことができるばかりか、足部の血行をよくして疲れを早期に取り除くことも可能となる。
【００６２】
一対の可動杆状部材２２は、上部スプリングユニット９の長手方向に沿う長さ寸法が異なる。そのため、マットレス装置１は図１に示すように上方へ屈曲させる長さ寸法を、一端部１ａよりも他端部１ｂを長くすることができる。つまり、利用者Ｕの足部を支持する他端部１ｂは足部の長さに応じて長く、頭部を支持する一端部１ａは頭部を支持する長さに応じた長さになっている。
【００６３】
したがって、利用者Ｕは、頭部と足部とをそれぞれ安定した状態で確実に支持されることになる。
【００６４】
このように、マットレス装置１の一端部１ａと他端部１ｂとを、一対の可動杆状部材１２によって所定の角度で上昇させて保持することができるようにした。そのため、マットレス装置１の一端部と他端部とを上昇させるための構造を、床板を起伏用の駆動機構によって起伏させる従来に比べて簡単で、安価とすることができる。
【００６５】
ボトムスプリングユニット８と上部スプリングユニット９とは外装地４４によって一体的に被覆されており、しかも上部スプリングユニット９の一端部と他端部とを上方へ屈曲させるために外周に設けられた可動杆状部材２２、固定杆状部材２３及びヒンジ機構２４は外部から見ることができず、しかも各杆状部材２２，２３は上部スプリングユニット９の周辺部に位置するコイルスプリング１１の巻き線１１ａ間に挿入されているから、マットレス装置１の外周部から外方へ突出するということもない。
【００６６】
そのため、このマットレス装置１は、両端部が上方へ屈曲させることができるようになっているにも係わらず、外観的には通常のマットレス装置となんら変わるところがないから、極めて体裁がよい
上部スプリングユニット９の上方へ屈曲させることができる長手方向の両端部と、ボトムスプリングユニット８の長手方向両端部とは外装地４４を分けて被覆するようにした。つまり、上部スプリングユニット９の両端部は上面が上部鏡地４６によって被覆され、下面が補助下鏡地５８によって被覆されているとともに、外周面が上部まち地５９によって被覆されている。
【００６７】
ボトムスプリングユニット８の上部スプリングユニット９の両端部に対応する部分は、下面が下部鏡地４５によって被覆され、上面が補助上鏡地５５によって被覆されるとともに、外周面が下部まち地５６によって被覆されている。
【００６８】
そのため、上部スプリングユニット９の一端部と他端部とを上方へ屈曲させることができるばかりか、上方へ屈曲させたときに、ボトムスプリングユニット８の上面が外部に露出したり、上部スプリングユニット９の下面が外部に露出するということがないから、外観的に極めて体裁がよい。
【００６９】
図１０はこの発明の第２の実施の形態を示す、上部スプリングユニット９を構成するばね体の変形例である。なお、図１０は上部スプリングユニット９を下面側から見た斜視図である。
【００７０】
上部スプリングユニット９を構成するばね体にはコイルスプリングに代わり連続ばね７１が用いられている。この連続ばね７１は複数のコイル部７２を有する。複数のコイル部７２は、１本の線材によって軸線がほぼ平行になるよう形成されている。隣り合う一対のコイル部７２は、中途部の巻き線が係合しているとともに、上端は上部連結杆７３によって連続され、下端は下部連結杆７４によって連続されている。
【００７１】
並設された複数の連続ばね７１は、並設方向と交差する方向に沿って設けられたヘリカル線７５によって連結されている。このスプリングユニット８，９の上下面の周縁部には、枠線７６がクリップ７７によって取付けられている。枠線７６は、詳細は図示しないが、ヒンジ機構２４によって連結された可動杆状部材２２と固定杆状部材２３との連結部分に対応する箇所で分断されている。上記可動杆状部材２２は同図に矢印で示す方向へ回動させることができるようになっている。
【００７２】
このように、各スプリングユニット８，９を構成するばね体はコイルスプリングに限られず、上述したような連続ばね体であっても差し支えない。
【００７３】
なお、上部スプリングユニットを連続ばねによって形成した場合、ボトムスプリングユニットの構成は限定されず、たとえばコイルスプリングや連続ばねのいずれで形成しても差し支えない。
【００７４】
図１１はこの発明の第３の実施の形態を示す、ボトムクッション体と上部クッション体との変形例である。すなわち、この実施の形態のマットレス装置１Ａは、第１の実施の形態に示されたスプリングユニットに代わり、軟質或いは半硬質の発泡弾性体によって所定の厚さの矩形板状に形成されたボトム発泡弾性体８１と上部発泡弾性体８２が用いられている。
【００７５】
上部発泡弾性体８２の外周面には保持溝８３が全周にわたって形成されている。この保持溝８３の長手方向の両端部にはそれぞれコ字状の可動杆状部材２２が設けられている。一対の可動杆状部材２２は上部発泡弾性体８２の側面に位置する長さ寸法が異なっている。
【００７６】
上部発泡弾性体８２の両側の長手方向中途部にはそれぞれ直杆状の固定杆状部材２３が設けられている。この固定杆状部材２３の両端には、上記一対の可動杆状部材２２の両端が第１の実施の形態と同じ構成のヒンジ機構２４によって連結されている。
【００７７】
それによって、ダブルクッションタイプのマットレス装置１Ａであっても、上部発泡弾性体８２の一端部１ａと他端部１ｂとを、図１１に実線で示す状態から鎖線で示すように上方へ屈曲させて保持することができる。
【００７８】
上記ボトム発泡弾性体８１と上部発泡弾性体８２とは、外装地４４によって一体的に、しかも上部発泡弾性体８２の可動杆状部材２２によって上方へ屈曲される部分をボトム発泡弾性体８１と別々に被覆している。この実施の形態の外装地４４は第１の実施の形態の外装地４４と同じ構成であり、同一部分には同一記号を付して説明を省略する。
【００７９】
したがって、この実施の形態においても、上部発泡弾性体８２の両端部を上方へ屈曲させて保持したときに、ボトム発泡弾性体８１の上面や上部発泡弾性体８２の下面が露出するのが防止される。
【００８０】
この発明は上記各実施の形態に限定されず、たとえば第１の実施の形態に示されたスプリングユニットと第３の実施の形態に示された発泡弾性体とを組み合わせてダブルクッションタイプのマットレス装置としてもよい。
【００８１】
【発明の効果】
以上のようにこの発明によれば、可動杆状部材を所定の角度で起立させれば、この可動杆状部材によって上部クッション体の一端部と他端部とを上方へ屈曲させて保持することができるから、それによって利用者の頭部や足部を持ち上げて保持することができる。
【００８２】
しかも、固定杆状部材にヒンジ機構によって連結された可動杆状部材を回動させることで、上部クッション体の一端部と他端部を起伏せることができるため、ダブルクッションタイプのマットレス装置の上部クッション体に適用することができるばかりか、従来の起伏駆動機構に比べて簡単な構成とすることができる。
【図面の簡単な説明】
【図１】この発明の第１の実施の形態に係るマットレス装置が用いられたベッドの斜視図。
【図２】マットレス装置の一部分を示す拡大断面図。
【図３】上部スプリングユニットに固定杆状部材又は可動杆状部材を保持する手段を拡大して示した断面図。
【図４】（ａ）はスプリングユニットの概略的構成を示す斜視図、（ｂ）はスプリングユニットの側面図、（ｃ）はスプリングユニットの正面図。
【図５】固定杆状部材と可動杆状部材とを上部スプリングユニットに保持する構造を一部破断して示す斜視図。
【図６】ヒンジ機構の一部断面した側面図。
【図７】ボトムスプリングユニットと上部スプリングユニットのクリップによって連結された幅方向一端部を示す断面図。
【図８】（ａ），（ｂ）は外装地の一部を示す斜視図、（ｃ）は外装地と２つのスプリングユニットを示す分解図。
【図９】マットレス装置に利用者が仰臥した状態の説明図。
【図１０】この発明の第２の実施の形態を示す上部スプリングユニットの一部分の斜視図。
【図１１】この発明の第３の実施の形態に係るマットレス装置の断面図。
【符号の説明】
８…ボトムスプリングユニット（下部クッション体）、９…上部スプリングユニット（上部クッション体）、１１…コイルスプリング（ばね体）、２２…固定杆状部材、２３…可動杆状部材、２４…ヒンジ機構、４４…外装地、５１…保持布（保持手段）、８１…ボトム発泡弾性体、８２…上部発泡弾性体、８３…保持溝（保持手段）。
【図１】
2004261241.tif 000003
【図２】
2004261241.tif 000004
【図３】
2004261241.tif 000005
【図４】
2004261241.tif 000006
【図５】
2004261241.tif 000007
【図６】
2004261241.tif 000008
【図７】
2004261241.tif 000009
【図８】
2004261241.tif 000010
【図９】
2004261241.tif 000011
【図１０】
2004261241.tif 000012
【図１１】
2004261241.tif 000013